【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
身体の管から組織を除去するための組織除去用カテーテルであって、
近位端及び遠位端を有する細長い本体と、
前記細長い本体の前記遠位端に隣接する組織除去要素であって、前記組織除去要素が、前記身体の管と係合し、前記身体の管から組織を除去するように構成されている、前記組織除去要素と、
前記細長い本体の前記遠位端に隣接し、前記組織除去要素によって除去された組織を受け入れるように構成された組織収納チャンバであって、前記組織収納チャンバが、チャンバ管を規定するとともに、前記細長い本体の前記遠位端部分に接続された近位端、前記近位端とは反対側の遠位端、前記近位端と前記遠位端との間に延びる長手方向軸、及び、その前記遠位端に隣接するとともに前記遠位端から離間した組織除去開口を有する、前記組織収納チャンバと、
前記組織収納チャンバの前記チャンバ管内の閉鎖構成要素であって、前記閉鎖構成要素が、前記チャンバ管内において遠位方向に、前記閉鎖構成要素が、前記組織収納チャンバ内の除去された組織が前記組織除去開口を通って出ることを妨げる閉じた位置から、前記閉鎖構成要素が、前記組織収納チャンバ内の除去された組織が前記組織除去開口を通って出ることを許容する開いた位置へ、長手方向にスライド可能である、前記閉鎖構成要素と、を備えた、前記組織除去用カテーテル。
【請求項２】
前記閉鎖構成要素を前記組織収納チャンバに接続する、ボスと溝との接続をさらに備えた、請求項１に記載の組織除去用カテーテル。
【請求項３】
前記ボスと溝との接続が、前記閉鎖構成要素と関連付けられ、前記閉鎖構成要素に沿って延びる溝と、前記組織収納チャンバ上にあり、前記溝内に保持されるとともに前記溝に沿って移動可能であるボスとを含んでいる、請求項２に記載の組織除去用カテーテル。
【請求項４】
前記溝が、前記閉鎖構成要素に沿って延びる長腕部と、前記閉鎖構成要素と交差するように延びる短腕部とを有する、概してＬ形状である、請求項３に記載の組織除去用カテーテル。
【請求項５】
前記ボスが前記Ｌ形状の溝の前記短腕部内にある場合に、前記閉鎖構成要素がロックされた構成にあり、前記チャンバ管内で長手方向にスライドすることが妨げられ、前記ボスが前記Ｌ形状の溝の前記長腕部内にある場合に、前記閉鎖構成要素がロック解除された構成にあり、前記チャンバ管内で長手方向にスライドすることが許容される、請求項４に記載の組織除去用カテーテル。
【請求項６】
前記組織収納チャンバの前記遠位端が、遠位の開口を規定し、前記閉鎖構成要素が前記組織収納チャンバの前記遠位の開口を通って前記チャンバ管内に延びる、請求項５に記載の組織除去用カテーテル。
【請求項７】
前記組織除去用カテーテルの遠位端を規定するチップ構成要素をさらに備え、前記チップ構成要素が、前記閉鎖構成要素の遠位端に接続されている、請求項６に記載の組織除去用カテーテル。
【請求項８】
前記チップ構成要素が、前記閉鎖構成要素を、前記閉鎖構成要素のロックされた構成とロック解除された構成との間で移動させるように、前記組織収納チャンバに対して回転可能である、請求項７に記載の組織除去用カテーテル。
【請求項９】
前記組織収納チャンバ上の第１のガイドワイヤ管と、前記チップ構成要素上の第２のガイドワイヤ管とをさらに備え、前記閉鎖構成要素がそのロックされた構成にある場合に、前記第１のガイドワイヤ管と前記第２のガイドワイヤ管とが、内部を通してガイドワイヤを受け入れるために整列される、請求項８に記載の組織除去用カテーテル。
【請求項１０】
前記閉鎖構成要素がそのロック解除された構成にある場合に、前記第１のガイドワイヤ管と前記第２のガイドワイヤ管とが整列されていない状態にある、請求項９に記載の組織除去用カテーテル。
【請求項１１】
ガイドワイヤが前記第１のガイドワイヤ管及び前記第２のガイドワイヤ管内に受け入れられている場合に、前記チップ構成要素が、前記閉鎖構成要素のロックされた構成からロック解除された構成に前記閉鎖構成要素を移動させるように、前記組織収納チャンバに対して回転可能である、請求項１０に記載の組織除去用カテーテル。
【請求項１２】
前記閉鎖構成要素が、前記閉鎖構成要素の前記開いた位置への意図しない移動を防止するために、前記閉じた位置において選択的にロック可能であり、前記閉鎖構成要素が、前記閉鎖構成要素の前記開いた位置への移動を許容するように、前記閉じた位置において選択的にロック解除可能である、請求項１に記載の組織除去用カテーテル。
【請求項１３】
前記組織収納チャンバの前記遠位端が、遠位の開口を規定し、前記閉鎖構成要素が前記組織収納チャンバの前記遠位の開口を通って前記チャンバ管内に延びる、請求項１２に記載の組織除去用カテーテル。
【請求項１４】
前記組織除去用カテーテルの遠位端を規定するチップ構成要素をさらに備え、前記チップ構成要素が、前記閉鎖構成要素の遠位端に接続されている、請求項１３に記載の組織除去用カテーテル。
【請求項１５】
前記チップ構成要素が、前記閉鎖構成要素を選択的にロック及びロック解除するように、前記組織収納チャンバに対して回転可能である、請求項１４に記載の組織除去用カテーテル。
【請求項１６】
前記組織収納チャンバ上の第１のガイドワイヤ管と、前記チップ構成要素上の第２のガイドワイヤ管とをさらに備え、ガイドワイヤが前記第１のガイドワイヤ管及び前記第２のガイドワイヤ管内に受け入れられている場合に、前記チップ構成要素が、前記閉鎖構成要素を選択的にロック及びロック解除するように、前記組織収納チャンバに対して回転可能である、請求項１４に記載の組織除去用カテーテル。
【請求項１７】
身体の管から組織を除去するための組織除去用カテーテルであって、前記カテーテルは、
近位端及び遠位端を有する細長い本体と、
前記細長い本体の前記遠位端に隣接する組織除去要素であって、前記組織除去要素が、前記身体の管と係合し、前記身体の管から組織を除去するように構成されている、組織除去要素と、
前記細長い本体の前記遠位端に隣接し、前記組織除去要素によって除去された組織を受け入れるように構成された組織収納チャンバであって、前記組織収納チャンバが、チャンバ管を規定するとともに、前記細長い本体の前記遠位端部分に接続された近位端、前記近位端とは反対側の遠位端、前記近位端と前記遠位端との間に延びる長手方向軸、及び、その前記遠位端に隣接するとともに前記遠位端から離間した組織除去開口を有する、組織収納チャンバと、
前記組織収納チャンバの前記チャンバ管内の閉鎖構成要素であって、前記閉鎖構成要素が、前記チャンバ管内において、前記閉鎖構成要素が、前記組織収納チャンバ内の除去された組織が前記組織除去開口を通って出ることを妨げる閉じた位置と、前記閉鎖構成要素が、前記組織収納チャンバ内の除去された組織が前記組織除去開口を通って出ることを許容する開いた位置との間で、長手方向にスライド可能である、閉鎖構成要素と
を備え、
前記閉鎖構成要素が、前記閉鎖構成要素の前記開いた位置への意図しない移動を防止するために、前記閉じた位置において選択的にロック可能であり、前記閉鎖構成要素が、前記閉鎖構成要素の前記開いた位置への移動を許容するように、前記閉じた位置において選択的にロック解除可能である、組織除去用カテーテル。
【請求項１８】
前記組織収納チャンバの前記遠位端が、遠位の開口を規定し、前記閉鎖構成要素が、前記組織収納チャンバの前記遠位の開口を通って前記チャンバ管内に延びる、請求項１７に記載の組織除去用カテーテル。
【請求項１９】
前記組織除去用カテーテルの遠位端を規定するチップ構成要素をさらに備え、前記チップ構成要素が、前記閉鎖構成要素の遠位端に接続されている、請求項１８に記載の組織除去用カテーテル。
【請求項２０】
前記チップ構成要素が、前記閉鎖構成要素を選択的にロック及びロック解除するように、前記組織収納チャンバに対して回転可能である、請求項１９に記載の組織除去用カテーテル。
【手続補正２】
【補正対象書類名】明細書
【補正対象項目名】０００４
【補正方法】変更
【補正の内容】
【０００４】
他の特徴は、以下で部分的に明らかになるとともに、部分的に指摘されることになる。
本願明細書は、例えば、以下の項目も提供する。
（項目１）
身体の管から組織を除去するための組織除去用カテーテルであって、
近位端及び遠位端を有する細長い本体と、
前記細長い本体の前記遠位端に隣接する組織除去要素であって、前記組織除去要素が、前記身体の管と係合し、前記身体の管から組織を除去するように構成されている、前記組織除去要素と、
前記細長い本体の前記遠位端に隣接し、前記組織除去要素によって除去された組織を受け入れるように構成された組織収納チャンバであって、前記組織収納チャンバが、チャンバ管を規定するとともに、前記細長い本体の前記遠位端部分に接続された近位端、前記近位端とは反対側の遠位端、前記近位端と前記遠位端との間に延びる長手方向軸、及び、その前記遠位端に隣接するとともに前記遠位端から離間した組織除去開口を有する、前記組織収納チャンバと、
前記組織収納チャンバの前記チャンバ管内の閉鎖構成要素であって、前記閉鎖構成要素が、前記チャンバ管内を、前記閉鎖構成要素が、前記組織収納チャンバ内の除去された組織が前記組織除去開口を通って出ることを妨げる閉じた位置と、前記閉鎖構成要素が、前記組織収納チャンバ内の除去された組織が前記組織除去開口を通って出ることを許容する開いた位置との間で、長手方向にスライド可能である、前記閉鎖構成要素と、を備えた、前記組織除去用カテーテル。
（項目２）
前記閉鎖構成要素を前記組織収納チャンバに接続する、ボスと溝との接続をさらに備えた、項目１に記載の組織除去用カテーテル。
（項目３）
前記ボスと溝との接続が、前記閉鎖構成要素と関連付けられ、前記閉鎖構成要素に沿って延びる溝と、前記組織収納チャンバ上にあり、前記溝内に保持されるとともに前記溝に沿って移動可能であるボスとを含んでいる、項目２に記載の組織除去用カテーテル。
（項目４）
前記溝が、前記閉鎖構成要素に沿って延びる長腕部と、前記閉鎖構成要素と交差するように延びる短腕部とを有する、概してＬ形状である、項目３に記載の組織除去用カテーテル。
（項目５）
前記ボスが前記Ｌ形状の溝の前記短腕部内にある場合に、前記閉鎖構成要素がロックされた構成にあり、前記チャンバ管内で長手方向にスライドすることが妨げられ、前記ボスが前記Ｌ形状の溝の前記長腕部内にある場合に、前記閉鎖構成要素がロック解除された構成にあり、前記チャンバ管内で長手方向にスライドすることが許容される、項目４に記載の組織除去用カテーテル。
（項目６）
前記組織収納チャンバの前記遠位端が、遠位の開口を規定し、前記閉鎖構成要素が前記組織収納チャンバの遠位の開口を通って前記チャンバ管内に延びる、項目５に記載の組織除去用カテーテル。
（項目７）
前記組織除去用カテーテルの遠位端を規定するチップ構成要素をさらに備え、前記チップ構成要素が、前記閉鎖構成要素の遠位端に接続されている、項目６に記載の組織除去用カテーテル。
（項目８）
前記チップ構成要素が、前記閉鎖構成要素を、前記閉鎖構成要素のロックされた構成とロック解除された構成との間で移動させるように、前記組織収納チャンバに対して回転可能である、項目７に記載の組織除去用カテーテル。
（項目９）
前記組織収納チャンバ上の第１のガイドワイヤ管と、前記チップ構成要素上の第２のガイドワイヤ管とをさらに備え、前記閉鎖構成要素がそのロックされた構成にある場合に、前記第１のガイドワイヤ管と前記第２のガイドワイヤ管とが、内部を通してガイドワイヤを受け入れるために整列される、項目８に記載の組織除去用カテーテル。
（項目１０）
前記閉鎖構成要素がそのロックされた構成にある場合に、前記第１のガイドワイヤ管と前記第２のガイドワイヤ管とが整列されていない状態にある、項目９に記載の組織除去用カテーテル。
（項目１１）
ガイドワイヤが前記第１のガイドワイヤ管及び前記第２のガイドワイヤ管内に受け入れられている場合に、前記チップ構成要素が、前記閉鎖構成要素のロックされた構成からロック解除された構成に前記閉鎖構成要素を移動させるように、前記組織収納チャンバに対して回転可能である、項目１０に記載の組織除去用カテーテル。
（項目１２）
前記閉鎖構成要素が、前記閉鎖構成要素の前記開いた位置への意図しない移動を防止するために、前記閉じた位置において選択的にロック可能であり、前記閉鎖構成要素が、前記閉鎖構成要素の前記開いた位置への移動を許容するように、前記閉じた位置において選択的にロック解除可能である、項目１に記載の組織除去用カテーテル。
（項目１３）
前記組織収納チャンバの前記遠位端が、遠位の開口を規定し、前記閉鎖構成要素が前記組織収納チャンバの遠位の開口を通って前記チャンバ管内に延びる、項目１２に記載の組織除去用カテーテル。
（項目１４）
前記組織除去用カテーテルの遠位端を規定するチップ構成要素をさらに備え、前記チップ構成要素が、前記閉鎖構成要素の遠位端に接続されている、項目１３に記載の組織除去用カテーテル。
（項目１５）
前記チップ構成要素が、前記閉鎖構成要素を選択的にロック及びロック解除するように、前記組織収納チャンバに対して回転可能である、項目１４に記載の組織除去用カテーテル。
（項目１６）
前記組織収納チャンバ上の第１のガイドワイヤ管と、前記チップ構成要素上の第２のガイドワイヤ管とをさらに備え、ガイドワイヤが前記第１のガイドワイヤ管及び前記第２のガイドワイヤ管内に受け入れられている場合に、前記チップ構成要素が、前記閉鎖構成要素を選択的にロック及びロック解除するように、前記組織収納チャンバに対して回転可能である、項目１４に記載の組織除去用カテーテル。
（項目１７）
組織除去用カテーテルの組織収納チャンバの洗浄方法であって、
前記組織除去用カテーテルの遠位端部分を患者の身体の管から、前記組織除去用カテーテルを使用して前記身体の管から組織を除去した後に外すことであって、組織収納チャンバのチャンバ管内の閉鎖構成要素が、前記組織収納チャンバ内の除去された組織が、前記組織収納チャンバの遠位端に隣接するとともに離間した組織除去開口を通って出ることを防止するように、閉じた位置にある、前記外すことと、
前記閉鎖構成要素を前記チャンバ管内で、前記閉鎖構成要素の閉じた位置から開いた位置に長手方向に移動させて、前記組織収納チャンバ内の組織が前記組織除去開口を通って出ることを許容することと、
前記組織収納内の前記除去された組織を、前記組織除去開口を通して前記組織収納チャンバの外に出すことと、
を含む、前記組織除去用カテーテルの組織収納チャンバの洗浄方法。
（項目１８）
遠位端を前記外すことの後かつ、前記閉鎖構成要素を長手方向に前記移動することの前に、前記閉鎖構成要素を前記組織収納チャンバに対し、ロックされた構成からロック解除された構成に回転させることをさらに含む、項目１７に記載の組織除去用カテーテルの組織収納チャンバの洗浄方法。
（項目１９）
前記閉鎖構成要素を前記回転させることが、前記閉鎖構成要素に接続されたチップ構成要素を手動で回転させることを含み、前記チップ構成要素が、前記組織除去用カテーテルの遠位端を規定する、項目１８に記載の組織除去用カテーテルの組織収納チャンバの洗浄方法。
（項目２０）
前記組織除去用カテーテルの遠位端を外すことと、前記閉鎖構成要素を前記チャンバ管内で長手方向に移動させることと、前記組織収納チャンバ内の前記除去された組織を、前記組織除去開口を通して出すこととの各ステップが、前記組織除去用カテーテルがガイドワイヤ上にある間に実施される、項目１７に記載の組織除去用カテーテルの組織収納チャンバの洗浄方法。